(57)【要約】【課題】  複数ビームを出力する光源ユニットとコリメータユニットを用いた光走査装置とそれを搭載した画像形成装置を提供し、画像形成効率を向上させるだけでなく、画像劣化を起こすことなく、簡単確実に低コストで解像力を向上させることを課題目的にする。【解決手段】  マルチレーザアレイを設けたマルチレーザ光源から複数ビームを出力する光源ユニットを用いた光走査装置において、前記マルチレーザ光源と該マルチレーザ光源から出力される複数ビームを略平行光にするコリメータレンズとの間に、副走査方向の前記複数ビームのビーム間隔を圧縮する圧縮光学系を設けたことを特徴とする光走査装置及びそれを搭載した画像形成装置。【選択図】        図４
2006220893.tif 000002
【特許請求の範囲】
【請求項１】
マルチレーザアレイを設けたマルチレーザ光源から複数ビームを出力する光源ユニットを用いた光走査装置において、前記マルチレーザ光源と該マルチレーザ光源から出力される複数ビームを略平行光にするコリメータレンズとの間に圧縮光学系を設け、前記複数ビームのビーム間隔を圧縮することを特徴とする光走査装置。
【請求項２】
前記複数ビームのビーム間隔の圧縮は、副走査方向になされることを特徴とする請求項１に記載の光走査装置。
【請求項３】
前記圧縮光学系は、単独又は複数のプリズムで構成されていることを特徴とする請求項２に記載の光走査装置。
【請求項４】
前記コリメータレンズ、又は該コリメータレンズを保持する鏡胴、前記圧縮光学系及びスリットで構成されるコリメータユニットは、ホルダブロックに一体に保持されていると共に、前記光源ユニットは前記コリメータユニットに対してアラインメント調整可能に取付けられていることを特徴とする請求項１〜３の何れか１項に記載の光走査装置。
【請求項５】
請求項１〜４の何れか１項に記載の光走査装置を装着して像露光をすることを特徴とする画像形成装置。
【発明の詳細な説明】
【技術分野】
【０００１】
本発明は像露光手段としてマルチレーザー光源を用いた光走査装置及びそれを装着した画像形成装置に関し、詳しくは該光走査装置及び画像形成装置によって作成される画像の高解像度化を図るものである。
【背景技術】
【０００２】
感光体にレーザビームを照射して、画像形成を行う場合には、画像形成効率を上げるためには、ビームを１本でなく複数本（例えば２本又は４本）同時に感光材料に対して照射することが好ましく、このような複数のビーム（マルチビーム）によって書込みを行う画像形成装置又はその光走査装置が知られている。
【０００３】
マルチビームの光源としては、半導体レーザ（ＬＤ）が用いられ、パッケージ当たり１本のビームを射出するＬＤパッケージを２個搭載し、これらから射出されたレーザビームはコリメータレンズで平行光となされ、更にビームスプリッタで位置合わせされて、感光体上に整列されて結像されることになる。
【０００４】
しかし、これではＬＤパッケージばかりでなくコリメータレンズも複数必要になり、調整の手間や費用もかかり好ましくはなく、近年には、特許文献１に示すように、１個の半導体レーザパッケージに２個又は４個の発光素子を備えるデバイス（一般にマルチレーザアレイとよばれる）が登場し、デバイスのパッケージ数が１個で済むことと、コリメータレンズが１個で済むこととにより、光走査装置や画像形成装置のコストを下げることが可能となっている。
【０００５】
そして、ポリゴンミラーなどを備える偏向手段による主走査と、感光体の回転などによる副走査とを組み合わせて、感光体上に２次元的に走査露光がなされる。
【０００６】
一方、像露光手段として、マルチレーザアレイを設けたマルチレーザ光源から複数ビームを出力する光源ユニットを用いた光走査装置及びそれを装着した画像形成装置においては、前述の画像形成効率の向上の他に、得られる画像の画質を向上させること、特に解像力を高めることが要望されている。
【特許文献１】特開２００３−９４７２７号公報
【発明の開示】
【発明が解決しようとする課題】
【０００７】
マルチレーザー光源の光源数増加に対して、画像の高解像度化対策をするには、その光源発光素子間隔が変わらない場合、次のような２つの対応が必要となる。
【０００８】
１）レーザーを光軸回りに回転させ、ＬＤを傾け、副走査ビーム間隔を狭める。
【０００９】
２）コリメータレンズの口径を拡大し、更にその焦点距離を長くし、副走査面上における、各発光素子のビームによる結像間隔を狭める。
【００１０】
しかし上記２点に関し次のような不具合点がある。
【００１１】
１）の場合、例えば６００ｄｐｉ用光学系にて１２００ｄｐｉを達成するには、光軸中心にＬＤを６０°傾ける必要があるが、これにより主走査ビームが絞り切れず画像劣化の問題が生じる。
【００１２】
２）の場合、コリメータレンズの口径拡大により、コリメータレンズが大型化してコストアップになり、また、焦点距離が長くなりスペースが増大し、ユニットの大型化となり、また、光効率低下による高出力レーザーが必要などの問題を生じる。
【００１３】
本発明はこのような不具合点を排除して、複数ビームを出力する光源ユニットとコリメータユニットを用いた光走査装置とそれを搭載した画像形成装置について、画像形成効率を向上させるだけでなく、解像力をも向上させ、しかもそれを簡潔に低コストで達成させることを課題目的にする。
【課題を解決するための手段】
【００１４】
この目的は次の技術手段（１）〜（５）の何れかによって達成される。
【００１５】
（１）マルチレーザアレイを設けたマルチレーザ光源から複数ビームを出力する光源ユニットを用いた光走査装置において、前記マルチレーザ光源と該マルチレーザ光源から出力される複数ビームを略平行光にするコリメータレンズとの間に圧縮光学系を設け、前記複数ビームのビーム間隔を圧縮することを特徴とする光走査装置。
【００１６】
（２）前記複数ビームのビーム間隔の圧縮は、副走査方向になされることを特徴とする（１）項に記載の光走査装置。
【００１７】
（３）前記圧縮光学系は、単独又は複数のプリズムで構成されていることを特徴とする（２）項に記載の光走査装置。
【００１８】
（４）前記コリメータレンズ、又は該コリメータレンズを保持する鏡胴、前記圧縮光学系及びスリットで構成されるコリメータユニットは、ホルダブロックに一体に保持されていると共に、前記光源ユニットは前記コリメータユニットに対してアラインメント調整可能に取付けられていることを特徴とする（１）〜（３）項の何れか１項に記載の光走査装置。
【００１９】
（５）（１）〜（４）項の何れか１項に記載の光走査装置を装着して像露光をすることを特徴とする画像形成装置。
【発明の効果】
【００２０】
光源とコリメータレンズの間に、ビーム間隔、特に副走査方向の光源間隔を見掛け上圧縮する圧縮光学系（圧縮プリズム）を設けた事により、画像形成効率を向上させるだけでなく、光源の発光点間隔を変えずに画像の高解像度化に対応が可能であり、また、コリメータレンズの口径拡大が不要となり、光効率低下による高出力レーザーへの転換が不要となり、製作コストが大きく軽減される。
【発明を実施するための最良の形態】
【００２１】
以下に本発明の光走査装置及びそれを装着した画像形成装置である電子写真方式の複写機を実施するための最良の形態として図を用いて詳細に説明する。しかし、本発明はこの実施の形態に限定されない。
【００２２】
先ず本発明の光走査装置について説明を行う。図１は本発明の光走査装置の実施の形態を示す光学系の主走査方向の平面図、図２は図１の光学系の光軸上にて感光体上に結像したときの副走査方向の光路図、図３は図１の光学系の光軸上にて感光体上に結像したときの主走査方向の光路図、図４は光源ユニット及びコリメータユニットの副走査方向の断面図、図５は従来のコリメータユニットの副走査方向の断面図、図６は光走査装置を搭載した画像形成装置の概略断面図である。
【００２３】
光走査装置４０の光学部材は何れもアルミ材又は工業樹脂材料で形成された箱形状をした筐体４１に調整のうえ固定されていて、振動や温度変動に対しても性能が維持される。筐体４１内の底板上には光源ユニット４２があって、マルチレーザ光源４２１、ドライバ基板４２２などを備えている。光源ユニット４２は、マルチレーザ光源４２１の備えるマルチレーザアレイ４２１ａを発光素子としていて、後述のポリゴンミラー４５による走査平面に対して互いに垂直な位置に並ぶとともに、互いに光軸が平行である２本のレーザ光を出射する。光源ユニット４２を出射した２本のレーザ光はコリメータユニット４３に入射する。前記コリメータレンズ４３２、又は該コリメータレンズ４３２を保持する鏡胴、圧縮光学系４３Ａの第１のプリズム４３Ａ１、第２のプリズム４３Ａ２及びスリット４３３で構成されるコリメータユニット４３は、ホルダブロック４３１に一体に保持されていると共に、前記光源ユニット４２はコリメータユニット４３に対してアラインメント調整可能に取り付けられている。
【００２４】
前述のように、マルチレーザ光源４２１とコリメータレンズ４３２の間には、図５の断面図に示す従来のコリメータユニットには無かった、圧縮光学系４３Ａが設けられている。光源ユニット４２を出射した２本のレーザビームはコリメータレンズ４３２により２本とも平行光とされ、スリット４３３によってビーム径を調整される。第１のシリンドリカルレンズ４４を通過してポリゴンミラー４５のミラー面を照射する。２つのレーザビームを照射することによって、同時に微小間隔をもった２本のレーザビームによる主走査が行われる。
【００２５】
２本のレーザビームを主走査方向に振るポリゴンミラー４５は本発明の偏向手段の一例であり、垂直軸を中心に高速回転し、ポリゴンミラー４５で反射した２本のレーザビームは主走査方向に振られる。ポリゴンミラー４５の回転における垂直軸に対して、直交する平面が主走査平面となる。そして、その光軸上にて感光体に結像する主走査方向の光路図は図３に示すようになる。また、ポリゴンミラー４５で反射した２本のレーザビームはｆθレンズ４６ａ、第２のシリンドリカルレンズ４６ｂを透過する。第２のシリンドリカルレンズ４６ｂを透過したレーザビームは感光体３１上に結像する。しかし、後述する図６の概略断面図に示すような位置に感光体３１がある場合には、Ｖ字形状に配設された第１の反射ミラー４７ａ，第２の反射ミラー４７ｂによって先のレーザビームとは高さを異にした水平方向の反転したレーザビームとなり、また、筐体４１に設けたスリット状の筐体開口部４８から出射して筐体４１の外部に出る。更にこのレーザビームは、第３の反射ミラー４７ｃによって反射し、感光体３１の周面上に所定のスポット径で主走査が行われる。このように感光体３１の配置に対応する結像点位置は、かなり自在に設定可能である。ただしこの場合にはｆθレンズ４６ａ、第２のシリンドリカルレンズ４６ｂの位置や光路長も変化させることになる。
【００２６】
また、インデックスセンサ（図示せず）を主走査されるレーザビームが通過するタイミングに基づいて、書込みデータの同期がとられ、各ラインの主走査方向の位置が互いに整合される。
【００２７】
本発明の実施の形態例では、このように光源ユニット４２、コリメータユニット４３以降の光走査装置４０の光学系には、第１のシリンドリカルレンズ４４、ポリゴンミラー４５、ｆθレンズ４６ａ、第２のシリンドリカルレンズ４６ｂが用いているが、光走査装置はこれらの光学系を適用することに限定されない。
【００２８】
次に、光源ユニット４２の駆動について説明する。
【００２９】
光源ユニット４２のドライバ基板４２２には、２チャンネルの発光制御回路が組み込まれている。駆動ＩＣ４２２ａ、４２２ｂは、それぞれマルチレーザ光源４２１のマルチレーザアレイ４２１ａの複数（ここでは２個）の発光素子の中で、対応する各チャンネルのレーザ発光素子に対して駆動電流を独立して供給する集積回路である。
【００３０】
本実施の形態では発光素子を２つ備えたマルチレーザアレイ４２１ａのパッケージを採用し、それぞれの駆動ＩＣ４２２ａ、４２２ｂが互いに独立して１つの発光素子の明滅を制御する。
【００３１】
ここにマルチレーザアレイ４２１Ａの２つの発光素子は副走査方向に一例として１４μｍの間隔に並べられている。これを図５に示すような光源ユニット４２及び従来式の構成のコリメータユニット４３Ｐを用いて光走査を行うと感光体３１面には副走査方向に４２．３μｍの間隔で結像する。これは解像力に換算すると６００ｄｐｉに相当する。
【００３２】
このような光学系において解像度を上げようとすると前述のような課題があり、かなりの難点が介在した。
【００３３】
本発明においては、光源ユニット４２及びコリメータユニット４３の間に圧縮光学系４３Ａを設けた。また、その圧縮光学系４３Ａとしては、副走査方向に圧縮することが大きな効果をもたらすことを見いだした。
【００３４】
圧縮光学系４３Ａとして第１のプリズム４３Ａ１、第２のプリズム４３Ａ２を用いることにより、コリメータレンズ４３２の見掛けの焦点距離が長くなり複数ビームのビーム間隔及び結像点の間隔が縮小されることによって簡単に目的が達成される。
【００３５】
圧縮光学系４３Ａとしては、上記のものの他に屈折率の大きな媒体を介在させる手段等がある。
【００３６】
そして簡単で確実な圧縮手段として楔形のプリズムである第１のプリズム４３Ａ１、第２のプリズム４３Ａ２を用いることによって、良好な結果が得られることが分かった。更にそれは副走査方向に設けることが特に好ましい。
【００３７】
即ち、光軸上にて感光体に結像する副走査方向の光路図である図２に示すように、コリメータレンズ４３２の見掛けの焦点距離が長くなり、光源間距離は見掛け上の焦点位置にあっても１４μｍである。しかし現位置における光源間隔は見掛け上大きく圧縮されていると見なすこともできる。そして、ポリゴンミラー４５上又は感光体３１の結像点におけるスポット間の距離は従来の４２．３μｍから２１．３μｍと２分の１に縮小でき、解像度は１２００ｄｐｉに向上させることができた。
【００３８】
これは、図４の断面図に示すような、圧縮光学系４３Ａとして第１のプリズム４３Ａ１、第２のプリズム４３Ａ２を副走査方向に介在させることにより、マルチレーザアレイ４２１Ａの２つの発光素子間隔１４μｍに対して感光体３１面での副走査方向の結像間隔が２１．３μｍになり、１２００ｄｐｉの解像力をクリアしたことを示すものである。
【００３９】
次にこのような本発明の光走査装置４０を搭載した画像形成装置の最良の実施の形態例としての複写機について図６の概略断面図を用いて説明する。
【００４０】
本実施の形態の複写機１００は、複写機本体の上部に自動原稿送り装置１を設けるとともに、複写機本体内に画像読取装置２、画像形成手段３、記録紙収納手段４、搬送手段５、及び、排紙・再給紙手段６を有している。
【００４１】
自動原稿送り装置１は、複写機本体の上部に設けられ、原稿を１枚ずつ送り出し、原稿の画像読取位置へと搬送し、画像読取が終わった原稿を排紙する装置である。自動原稿送り装置１は、原稿を載置する原稿載置台１１、原稿載置台１１上に載置された原稿を分離する原稿分離手段１２、原稿分離手段１２で分離された原稿を搬送する原稿搬送手段１３、原稿搬送手段１３で搬送された原稿を排紙する原稿排紙手段１４、原稿排紙手段１４によって排紙された原稿を受け止め、載置する原稿排紙台１５、及び、原稿の両面の画像を読み取る際に原稿の表裏を反転させるための原稿反転手段１６を有している。
【００４２】
原稿載置台１１上に載置された複数枚の原稿は、原稿分離手段１２によって分離され、１枚ずつ搬送される。原稿分離手段１２によって分離・搬送された原稿は、原稿搬送手段１３によって搬送され、下方に設けられた画像読取装置２によって、スリット２１を通して、原稿の画像が読み取られる。画像が読み取られた原稿は、原稿排紙手段１４によって、原稿排紙台１５上へと排紙される。ところで、原稿の両面の画像を読み取る際には、画像が読み取られた原稿は、原稿反転手段１６によって原稿の表裏が反転されて、再度、原稿搬送手段１３によって搬送され、スリット２１を通して、画像読取装置２によって、原稿の裏面の画像が読み取られる。そして、裏面の画像が読み取られた原稿は、原稿排紙手段１４によって、原稿排紙台１５上へと排紙される。このような工程を、原稿載置台１１上に載置された原稿の枚数分繰り返され、原稿の画像が読み取られる。
【００４３】
また、自動原稿送り装置１は、一体に可倒式に構成されており、この自動原稿送り装置１を起こしてプラテンガラス２２上を開放することにより、プラテンガラス２２上に原稿を直接載置することができるように構成している。なお、本実施の形態では、原稿搬送手段１３によって原稿を搬送しながら、原稿の画像を読み取るように構成しているが、原稿搬送手段１３によって搬送された原稿をプラテンガラス上に静止させた上で画像を読み取るように構成しても良い。
【００４４】
画像読取装置２は、原稿の画像を読み取り画像データを得る手段であり、複写機本体内の上部に設けられている。この画像読取装置２は、自動原稿送り装置１の原稿搬送手段１３によって搬送されている原稿の画像を読み取るためのスリット状の開口部であるスリット２１、原稿を直接載置（静置）するための原稿台であるプラテンガラス２２、原稿に光照射する光源であるランプ２３１と原稿からの反射光を反射させる第１ミラー２３２とを一体化している第１ミラーユニット２３、第１ミラー２３２からの光を反射させる第２ミラー２４１と第３ミラー２４２とを一体化したＶミラーユニット２４と、スリット２１上或いはプラテンガラス２２上の原稿からの反射光を後述のＣＣＤ２６に結像させる結像手段である結像レンズ２５、及び、結像レンズ２５によって結像された光像を光電変換して画像情報を得る画像読取手段であるライン状のＣＣＤ２６を有している。
【００４５】
自動原稿送り装置１によって送られている原稿を、画像読取装置２で読み取る際は、第１ミラーユニット２３及びＶミラーユニット２４は、図６において左方に移動し、第１ミラーユニット２３がスリット２１の下方に位置している。そして、原稿搬送手段１３によってスリット２１上を搬送されている原稿を、ランプ２３１で光照射し、原稿から反射した光は、第１ミラー２３２、第２ミラー２４１、第３ミラー２４２、結像レンズ２５を介して、ＣＣＤ２６に入射する。ＣＣＤでは、入射した光を光電変換して、主走査方向（図６において紙面垂直方向）の原稿の画像を読み取り、一方、原稿が原稿搬送手段１３によって副走査方向に移動されているので、原稿全面の画像を読み取ることができる。ＣＣＤ２６で読み取った画像情報は、適宜、シェーディング補正、空間フィルタ処理、読取系γ補正処理などの画像処理が施され、レーザ書込みを行う光走査装置４０に供される。
【００４６】
また、プラテンガラス２２上に原稿が直接載置された場合は、第１ミラーユニット２３とＶミラーユニット２４とを、プラテンガラスに沿って、図６において右方向に移動させながら、原稿の画像を読み取ることができる。
【００４７】
画像形成手段３は、画像読取装置２で得た画像データに基づいて所定のプロセススピードで搬送されている記録材である記録紙上に画像形成する手段である。本実施の形態の画像形成手段３は、電子写真プロセスを用いて画像を形成するものである。画像形成手段３は、光導電性感光層を有しトナー像を担持する像担持体である感光体３１と、感光体３１を一様帯電させる帯電器３２、ＣＣＤ２６で読み取った画像情報に基づいて、感光体３１上を露光して潜像を形成する本発明の光走査装置４０、感光体３１上の潜像を現像してトナー像を形成する現像器３４、感光体３１上に担持されたトナー像を、別途搬送されている記録紙上に転写する転写器３５、トナー像が転写された記録紙を感光体３１上から分離する分離器３６、転写された後に感光体３１上に残留したトナーを除去するクリーニング手段３７、記録紙上のトナー像を定着する定着手段３８を有している。そして、感光体３１の周囲に、帯電器３２、光走査装置４０、現像器３４、転写器３５、分離器３６、クリーニング手段３７が配置され、光走査装置４０は、その筐体４１を装置本体側のフレームに取付けられて、感光体３１上の適切な位置を走査してレーザ書込みを行う。
【００４８】
光走査装置４０は、既に図１から図５を用いて説明したものである。
【００４９】
感光体３１は、図示しない駆動手段によって、時計方向に回転し、帯電器３２による一様帯電、後述するレジストローラ５６から送り出された記録紙の先端に同期せしめて露光が開始された光走査装置４０による潜像形成、現像器３４による現像がなされて、潜像に基づいたトナー像が形成される。形成されたトナー像は、転写器３５によって、別途搬送されている記録紙上に転写される。トナー像が転写された記録紙は、分離器３６によって感光体３１上から分離され、定着手段３８へと搬送され、そこで、加熱、加圧作用により、トナー像が記録紙に定着される。一方、トナー像が記録紙へ転写された感光体３１は、更に回転を続け、クリーニング手段３７によって、感光体３１上に残留したトナーが除去され、次の画像形成へと供される。
【００５０】
なお、本実施の形態では、感光体３１とレジストローラ５６との間の感光体３１近傍に、レジストローラ５６から送り出された記録紙を搬送するドラム前搬送ローラ３９が設けられており、記録紙の搬送力アップに寄与させている。また、分離器３６と定着手段３８との間には、分離器３６によって分離された記録紙を搬送するために、記録紙の下面側（画像形成された側とは反対側）を支持し、搬送する搬送ローラ（符号なし）及びベルト（符号なし）を設けている。
【００５１】
記録紙収納手段４は、複数枚の記録紙を積層状態で収納する記録材収納手段である。本実施の形態では、記録紙収納手段４として複数、即ち、第１記録紙収納手段４Ａ、第２記録紙収納手段４Ｂ、第３記録紙収納手段４Ｃ有しており、これら記録紙収納手段４Ａ〜４Ｃを、画像形成手段３の下方に多段配置している。これら記録紙収納手段４Ａ〜４Ｃに収納される記録材としては、普通紙や再生紙など記録紙の他に、ＯＨＴなど種々の媒体がある。
【００５２】
搬送手段５は、記録紙収納手段４から画像形成手段３へと記録材を搬送する搬送手段であり、各記録紙収納手段４Ａ〜４Ｃそれぞれに収納された記録紙を画像形成手段３へと搬送できるように構成している。
【００５３】
排紙・再給紙手段６は、搬送手段５によって搬送された記録紙上に、画像形成手段３で画像形成された記録紙を、排紙或いは再給紙するための手段である。この排紙・再給紙手段５は、トナー像が定着された記録紙を定着手段３８から排出する定着排出ローラ６１、定着排出ローラ６１により排出された記録紙をそのまま機外へ排出する場合と表裏反転させた後排出する場合、或いは裏面に画像形成するために再給紙する場合とで搬送路を切替える切替え手段６２、記録紙を機外に排出するための排紙ローラ６３、複写機の側面に設けられ排紙ローラ６３により排出された記録紙を積載する排紙トレイ６４、再給紙される記録紙の表裏を反転させる反転手段６５、及び、反転手段６５で反転された記録紙を画像形成手段３へと再給紙する再給紙手段６６を有している。
【００５４】
画像形成された記録紙をそのまま、即ち、画像形成された面を上側にして排出する場合は、切替え手段６２を図６において一点鎖線で示す位置に位置させ、定着排出ローラ６１、排紙ローラ６３によって、機外の排紙トレイ６４へと排出する。また、画像形成された記録紙の表裏を反転させて排紙、即ち、画像形成された面を下側にして排出する場合は、切替え手段６２を図６において実線で示す位置に位置させ、定着排出ローラ６１により搬送される記録紙を、一旦、反転手段６５の方向へ搬送し、記録紙が切替え手段６２を通過した後、搬送方向を逆転させて、排紙ローラ６３によって機外の排紙トレイ６４へと排出する。一方、記録紙の裏面に画像形成する場合は、切替え手段６２を図６において実線で示す位置に位置させ、定着排出ローラ６１により搬送される記録紙を、反転手段６５の方向に搬送し、反転手段６５によってスイッチバックを行わせることにより表裏反転を施し、再給紙手段６６へと搬送する。再給紙手段６６まで搬送された記録紙は、後述するループ形成ローラ５５と中間搬送ローラ５４１との間で搬送路に合流し、記録紙収納手段４からの給紙と同様に、画像形成手段３へと搬送される。
【００５５】
このように本発明の光走査装置４０を搭載した、本発明の画像形成装置としての複写機１００は解像力の高い高画質を安定して得られるようになる。
【図面の簡単な説明】
【００５６】
【図１】本発明の光走査装置の実施の形態を示す光学系の主走査方向の平面図である。
【図２】図１の光学系の光軸上にて感光体上に結像したときの副走査方向の光路図である。
【図３】図１の光学系の光軸上にて感光体上に結像したときの主走査方向の光路図である。
【図４】光源ユニット及びコリメータユニットの副走査方向の断面図である。
【図５】光源ユニット及び従来のコリメータユニットの副走査方向の断面図である。
【図６】圧縮光学系を組みこんだ光走査装置を搭載した画像形成装置の概略断面図である。
【符号の説明】
【００５７】
３１  感光体
４０  光走査装置
４２  光源ユニット
４２１  マルチレーザ光源
４２１ａ  マルチレーザアレイ
４２２  ドライバ基板
４２２ａ、４２２ｂ  駆動ＩＣ
４３  コリメータユニット
４３１  ホルダブロック
４３２  コリメータレンズ
４３３  スリット
４３Ａ  圧縮光学系
４３Ｐ  従来式のコリメータユニット
４３Ａ１  第１のプリズム
４３Ａ２  第２のプリズム
４４  第１のシリンドリカルレンズ
４５  ポリゴンミラー
４６ａ  ｆθレンズ
４６ｂ  第２のシリンドリカルレンズ
１００  複写機
【図１】
2006220893.tif 000003
【図２】
2006220893.tif 000004
【図３】
2006220893.tif 000005
【図４】
2006220893.tif 000006
【図５】
2006220893.tif 000007
【図６】
2006220893.tif 000008